(57)【特許請求の範囲】
【請求項１】
スピニングリールのスプールに釣糸を案内するための釣糸案内機構を構成するラインローラユニットであって、
外周面に前記釣糸を案内する案内部、並びに第１大径部及び小径部を含む内周面、を有するラインローラと、
前記ラインローラの内周側であって前記小径部に設けられたベアリングと、
前記ベアリングの内周面に接する第１円筒部、前記第１円筒部より外径が大きい第２円筒部、前記第１円筒部と前記第２円筒部とによって画定されて前記ベアリングの第１端部と接する第１段差部を含み且つ前記ベアリングを保持する保持部、を有し、前記ベアリングの内周側に設けられた円筒部材と、
第１磁石及び前記第１磁石を保持する第１保持部材を有し、前記円筒部材の前記第２円筒部との間で第１磁性流体を保持するための第１磁気回路を形成し、前記ラインローラの前記第１大径部に設けられた第１磁気シールと、
を備える、ラインローラユニット。
【請求項２】
前記円筒部材は、前記第１円筒部の外周側に配置される第３円筒部をさらに有し、
前記保持部は、前記第１円筒部と前記第３円筒部とによって画定される第２段差部を含み、
前記第２段差部は、前記ベアリングの第２端部と接する、
請求項１に記載のラインローラユニット。
【請求項３】
前記ベアリングは、
前記ラインローラの内周側に配置される外輪と、
前記円筒部材の外周側に配置される内輪と、
前記内輪と前記外輪との間に配置される複数の転動体と、
を有し、
前記内輪の第1端部は、前記第１段差部と接する、
請求項１又は２に記載のラインローラユニット。
【請求項４】
前記ベアリングは、
前記ラインローラの内周に配置される外輪と、
前記円筒部材の外周に配置される内輪と、
前記内輪と前記外輪との間に配置される複数の転動体と、
を有し、
前記内輪の第２端部は、前記第２段差部と接する、
請求項２に記載のラインローラユニット。
【請求項５】
前記ベアリングは、
前記ラインローラの内周に配置される外輪と、
前記円筒部材の外周に配置される内輪と、
前記内輪と前記外輪との間に配置される複数の転動体と、
を有し、
前記内輪の第1端部は、前記第１段差部と接し、
前記内輪の第２端部は、前記第２段差部と接する、
請求項２に記載のラインローラユニット。
【請求項６】
前記第１磁気シールは、
前記第２円筒部との間で前記第１磁気回路を形成する、
請求項１から５のいずれかに記載のラインローラユニット。
【請求項７】
前記ベアリングは、第１ベアリングと、第２ベアリングとを有し、
前記円筒部材は、前記第１ベアリングと前記第２ベアリングとの間において、前記第１円筒部の外周側に配置された第４円筒部を、さらに有する
請求項１から６のいずれかに記載のラインローラユニット。
【請求項８】
前記ベアリングは、第１ベアリングと第２ベアリングとを有する、
請求項１から６のいずれかに記載のラインローラユニット。
【請求項９】
径方向において前記第１磁石と前記ラインローラとの間に配置された非磁性体の第１遮蔽部材をさらに備える、
請求項１から８のいずれかに記載のラインローラユニット。
【請求項１０】
前記第１遮蔽部材は、軸方向において、前記第１磁石と前記ラインローラとの間に配置される、
請求項９に記載のラインローラユニット。
【請求項１１】
第２磁石及び前記第２磁石を保持する第２保持部材を有し、前記円筒部材との間で第２磁性流体を保持するための第２磁気回路を形成し、前記ラインローラに設けられた第２磁気シール、をさらに備えた、
請求項１から１０のいずれかに記載のラインローラユニット。
【請求項１２】
径方向において前記第２磁石と前記ラインローラとの間に配置された非磁性体の第２遮蔽部材をさらに備える、請求項１１に記載のラインローラユニット。
【請求項１３】
前記第２遮蔽部材は、軸方向において、前記第２磁石と前記ラインローラとの間に配置される、
請求項１２に記載のラインローラユニット。
【請求項１４】
前記ラインローラの少なくとも一部は、非磁性体で構成されている、
請求項１から８のいずれかに記載のラインローラユニット。
【請求項１５】
スピニングリールのロータの一対のロータアームに取り付けられ、スプールに釣糸を案内する釣糸案内機構であって、
ベールと、
一方の前記ロータアームに取り付けられ、前記ベールの第１端部を支持する第１ベール支持部材と、
前記第１ベール支持部材と前記ベールの第１端部との間を延びる軸部材と、
前記軸部材に取り付けられる請求項１から１４のいずれかに記載のラインローラユニットと、
を備える、釣糸案内機構。
【発明の詳細な説明】
【技術分野】
【０００１】
本発明は、ラインローラユニット、及び釣糸案内機構に関するものである。
【背景技術】
【０００２】
スピニングリールは、スプールと、一対のロータアームを有するロータと、一対のロータアームの先端部に揺動可能に装着された釣糸案内機構（いわゆるベールアーム）と、を備えている。釣糸案内機構は、釣糸をスプールに案内するための機構である。この釣糸案内機構は、ベールと、ベールの両端部を支持する一対のベール支持部材と、ラインローラと、を有している。
【０００３】
ラインローラは、一般的に、ベアリングを介して軸部材に支持されている。このベアリングに水又は砂などが浸入すると、ラインローラがスムーズに回転しなくなってしまう。これを防ぐため、例えば特許文献１に開示されたラインローラは磁気シール機構を有している。この磁気シール機構は、ベアリング内に水、又は砂等が浸入することを防止するための機構である。
【先行技術文献】
【特許文献】
【０００４】
【特許文献１】特開２０１３−００００９７号公報
【発明の概要】
【発明が解決しようとする課題】
【０００５】
上述したようなラインローラにおいて、メンテナンスなどのためにラインローラを取り外す際、磁気シールなどを分解する必要があり、取扱いが容易でないといった問題がある。
【０００６】
本発明の課題は、取り扱いの容易なラインローラユニット、及びこれを用いた釣糸案内機構を提供することにある。
【課題を解決するための手段】
【０００７】
本発明の第１側面に係るラインローラユニットは、スピニングリールのスプールに釣糸を案内するための釣糸案内機構を構成する。このラインローラユニットは、ラインローラと、ベアリングと、円筒部材と、第１磁気シールとを備える。ラインローラは、外周面に釣糸を案内する案内部を有する。ベアリングは、ラインローラの内周側に設けられる。円筒部材は、ベアリングを保持する保持部を有する。円筒部材は、ベアリングの内周側に設けられる。第１磁気シールは、第１磁石と、第１磁石を保持する第１保持部材と、を有する。第１磁気シールは、円筒部材との間で第１磁性流体を保持するための第１磁気回路を形成する。第１磁気シールは、ラインローラに設けられる。
【０００８】
この構成によれば、円筒部材によってベアリングが保持されており、ベアリングはラインローラの内周側に設けられている。また、第１磁気シールは、ラインローラに設けられている。このように、ラインローラ、ベアリング、円筒部材、及び第１磁気シールは、互いにユニット化されているため、取扱いが容易である。
【０００９】
好ましくは、円筒部材は、第１円筒部と、第２円筒部と、を有する。第１円筒部は、ベアリングの内周面に接する。第２円筒部は、第１円筒部より外径が大きい。保持部は、第１円筒部と第２円筒部とによって画定される第１段差部を含む。第１段差部は、ベアリングの第１端部と接する。この構成によれば、ベアリングが第１段差部と接することによって、ベアリングの軸方向の移動が規制される。
【００１０】
好ましくは、円筒部材は、第1円筒部の外周側に配置される第３円筒部をさらに有する。保持部は、第１円筒部と第３円筒部とによって画定される第２段差部を含む。第２段差部は、ベアリングの第２端部と接する。この構成によれば、ベアリングが第２段差部と接することによって、ベアリングの軸方向の移動が規制される。
【００１１】
好ましくは、ベアリングは、外輪と、内輪と、複数の転動体とを有する。外輪は、ラインローラの内周側に配置される。内輪は、円筒部材の外周側に配置される。各転動体は、内輪と外輪との間に配置される。内輪の第1端部は、第１段差部と接する。
【００１２】
好ましくは、内輪の第２端部は、第２段差部と接する。
【００１３】
好ましくは、内輪の第1端部は第１段差部と接し、内輪の第２端部は第２段差部と接する。
【００１４】
好ましくは、第１磁気シールは、第２円筒部との間で第１磁気回路を形成する。
【００１５】
好ましくは、ベアリングは、第１ベアリングと、第２ベアリングとを有する。この構成によれば、少なくとも２つのベアリングによってラインローラを回転可能に支持している。このため、軸方向において、ラインローラと円筒部材との間隔が均一に保持される。この結果、第１磁石と円筒部材との間隔も均一に保持され、ベアリングへの水などの浸入をより確実に防ぐことができる。なお、円筒部材は、第４円筒部をさらに有してもよい。第４円筒部は、第１ベアリングと第２ベアリングとの間において、第１円筒部の外周側に配置される。
【００１６】
好ましくは、ラインローラユニットは、第２磁気シールをさらに備える。第２磁気シールは、第２磁石と、第２磁石を保持する第２保持部材と、を有する。第２磁気シールは、円筒部材との間で第２磁性流体を保持するための第２磁気回路を形成する。第２磁気シールは、ラインローラに設けられる。
【００１７】
好ましくは、ラインローラユニットは、第１遮蔽部材をさらに備える。第１遮蔽部材は、径方向において第１磁石とラインローラとの間に配置される。第１遮蔽部材は、非磁性体である。このように第１磁石とラインローラとの間に第１遮蔽部材を配置することによって、第１磁石とラインローラとの間の磁力を弱め、ひいては第１磁石と円筒部材との間の磁力を強めることができる。
【００１８】
好ましくは、第１遮蔽部材は、軸方向において、第１磁石とラインローラとの間に配置される。この構成によれば、第１磁石と円筒部材との間の磁力をより強めることができる。
【００１９】
好ましくは、ラインローラユニットは、第２遮蔽部材をさらに備える。第２遮蔽部材は、径方向において第２磁石とラインローラとの間に配置される。第２遮蔽部材は、非磁性体である。第２磁石とラインローラとの間に第２遮蔽部材を配置することによって、第２磁石とラインローラとの間の磁力を弱め、ひいては第２磁石と円筒部材との間の磁力を強めることができる。
【００２０】
好ましくは、第２遮蔽部材は、軸方向において、第２磁石とラインローラとの間に配置される。この構成によれば、第２磁石と円筒部材との間の磁力をより強めることができる。
【００２１】
ラインローラの少なくとも一部は、非磁性体によって構成されていてもよい。この構成によれば、各磁石と円筒部材との間の磁力をより強めることができる。なお、ラインローラの全体が非磁性体によって構成されていなくてもよい。例えば、ラインローラ４の少なくとも各磁石が取り付けられる部分が非磁性体によって構成されていればよい。
【００２２】
本発明の第２側面に係る釣糸案内機構は、スピニングリールのロータの一対のロータアームに取り付けられ、スプールに釣糸を案内する。この釣糸案内機構は、ベールと、第１ベール支持部材と、軸部材と、上述したいずれかのラインローラユニットと、を備える。第１ベール支持部材は、一方のロータアームに取り付けられる。第１ベール支持部材は、ベールの第１端部を支持する。軸部材は、第１ベール支持部材とベールの第１端部との間を延びる。ラインローラユニットは、軸部材に取り付けられる。
【発明の効果】
【００２３】
本発明によれば、取り扱いの容易なラインローラユニット、及びこれを用いた釣糸案内機構を提供することができる。
【図面の簡単な説明】
【００２４】
【図１】スピニングリールの側面図。
【図２】釣糸案内機構の断面図。
【図３】ラインローラユニットの断面図。
【図４】ラインローラの断面図。
【図５】円筒部材の断面図。
【図６】変形例に係るラインローラユニットの断面図。
【図７】変形例に係るラインローラユニットの断面図。
【発明を実施するための形態】
【００２５】
以下、本発明に係るラインローラユニット、及びこれを用いた釣糸案内機構の実施形態について図面を参照しつつ説明する。図１はスピニングリール１００の側面図である。
【００２６】
図１に示すように、スピニングリール１００は、リール本体１１０、スプール１２０、ロータ１３０、ハンドル１４０、及び釣糸案内機構２を備えている。
【００２７】
リール本体１１０は、内部に収容空間を有しており、種々の機構を収容している。例えば、リール本体１１０内には、ロータ１３０を回転させる機構、及びスプール１２０を前後移動させる機構などが収容されている。
【００２８】
スプール１２０は、釣糸が巻きつけられる部材である。スプール１２０は、略円筒状である。ロータ１３０は、スプール１２０に釣糸を巻きつけるための部材である。ハンドル１４０を回転させると、スプール１２０が前後方向に往復移動し、ロータ１３０がスプール１２０の中心軸を中心に回転する。そして、ロータ１３０とともに回転する釣糸案内機構２が、釣糸をスプール１２０へと案内する。
【００２９】
詳細には、ロータ１３０は、ロータ本体部１３１と、第１及び第２ロータアーム１３２，１３３を有している。第１及び第２ロータアーム１３２、１３３は、ロータ本体部１３１の外周面から前方に向かって延びている。第１ロータアーム１３２と第２ロータアーム１３３とは、ロータ本体部１３１の周方向において、反対側の位置に配置されている。そして、釣糸案内機構２は、第１ロータアーム１３２及び第２ロータアーム１３３に、揺動可能に取り付けられている。
【００３０】
釣糸案内機構２は、糸案内姿勢と糸開放姿勢とを選択可能となるように、揺動可能にロータ１３０に取り付けられている。釣糸案内機構２は、ベール２１、第１ベール支持部材２２、第２ベール支持部材２３、軸部材２４、及びラインローラユニット２５を備えている。
【００３１】
ベール２１は、略Ｕ字状のステンレス合金製の部材である。ベール２１は、スプール１２０の外周面に沿って外方に凸となるように湾曲している。このベール２１は、第１端部２１ａと第２端部２１ｂとを有する。釣糸案内機構２が糸開放姿勢から糸案内姿勢に復帰したときに、ベール２１は、釣り糸を第１端部２１ａを介してラインローラユニット２５に導く。
【００３２】
第１ベール支持部材２２は、ベール２１の第１端部２１ａを支持する。詳細には、第１ベール支持部材２２は、軸部材２４を介して、ベール２１の第１端部２１ａを支持する。第１ベール支持部材２２は、第１ロータアーム１３２に取り付けられている。
【００３３】
詳細には、第１ベール支持部材２２は、第１ロータアーム１３２に揺動可能に装着されている。なお、第１ベール支持部材２２は、第１ロータアーム１３２の先端部の外側に揺動可能に装着されている。
【００３４】
第２ベール支持部材２３は、ベール２１の第２端部２１ｂを支持する。第２ベール支持部材２３は、第２ロータアーム１３３に揺動可能に装着されている。詳細には、第２ベール支持部材２３は、第２ロータアーム１３３の先端部の外側に揺動可能に装着されている。
【００３５】
図２は釣糸案内機構２の断面図である。なお、以下の説明において、軸方向とは、ラインローラユニット２５の回転軸Ｏが延びる方向を意味する。すなわち、軸部材２４が延びる方向を意味する。具体的には、図２の左右方向が軸方向を示す。また、径方向とは、回転軸Ｏを中心とした円の径方向を意味する。また、周方向とは、回転軸Ｏを中心とした円の周方向を意味する。
【００３６】
図２に示すように、軸部材２４は、第１ベール支持部材２２とベール２１の第１端部２１ａとの間を延びている。詳細には、軸部材２４は、ベール２１の第１端部２１ａから第１ベール支持部材２２に向かって延びている。そして、軸部材２４の先端部２４ａは、第１ベール支持部材２２に形成された貫通孔２２ａ内に収容されたナット部材２２ｂと螺合している。
【００３７】
ラインローラユニット２５は、スピニングリール１００のスプール１２０に釣糸を案内するための部材である。ラインローラユニット２５は、軸部材２４に取り付けられている。すなわち、ラインローラユニット２５は、軸部材２４の外周側に配置される。
【００３８】
ラインローラユニット２５は、軸方向において、ベール２１の第１端部２１ａと、第１ベール支持部材２２との間に配置されている。なお、ラインローラユニット２５とベール２１の第１端部２１ａとの間には、第１環状部材２６が配置されている。また、ラインローラユニット２５と第１ベール支持部材２２との間には、第２環状部材２７が配置されている。第１及び第２環状部材２６，２７は、軸部材２４に取り付けられており、ラインローラユニット２５の軸方向の移動を規制する。
【００３９】
図３はラインローラユニット２５の断面図である。図３に示すように、ラインローラユニット２５は、ラインローラ４と、ベアリング５と、円筒部材６と、第１磁気シール７と、第２磁気シール８とを備える。
【００４０】
図４は、ラインローラ４の断面図である。図４に示すように、ラインローラ４は、外周面に釣糸を案内する案内部４１を有する。詳細には、案内部４１に、周方向に延びる環状の溝部４２が形成されている。案内部４１は、釣糸を溝部４２へと案内するよう、両端部から溝部４２に向かって傾斜している。
【００４１】
ラインローラ４は、略筒状である。特に限定されるものではないが、ラインローラ４は、例えば、金属製である。例えば、ラインローラ４は、ステンレス鋼によって形成されている。ラインローラ４の内周面は、第１及び第２大径部４３，４４と小径部４５とを有している。第１及び第２大径部４３，４４の径は、小径部４５の径よりも大きい。なお、第１大径部４３の径と第２大径部４４の径とは、略同じである。軸方向において、小径部４５は、第１大径部４３と第２大径部４４との間に配置されている。
【００４２】
図３に示すように、ベアリング５は、ラインローラ４の内周側に設けられる。詳細には、ベアリング５は、ラインローラ４に嵌合される。このため、ラインローラ４は、ベアリング５を介して、円筒部材６に回転可能に支持される。
【００４３】
ベアリング５は、外輪５１、内輪５２、及び複数の転動体５３を有する。外輪５１は、ラインローラ４の内周側に配置される。外輪５１は、円筒状である。外輪５１は、ラインローラ４に嵌合されており、ラインローラ４と一体的に回転する。なお、外輪５１は、ラインローラ４の小径部４５に取り付けられる。
【００４４】
外輪５１は、円筒部５１１と、第１カバー部５１２及び第２カバー部５１３とを有している。円筒部５１１は、円筒状であって、ラインローラ４の内周面と接触している。
【００４５】
第１カバー部５１２は、環状であって、円筒部５１１の第１端部から径方向内側へ延びている。第１カバー部５１２の内周面は、内輪５２と接触している。また、第１カバー部５１２の内周側端部は、軸方向において転動体５３から離れる方向へと延びている。
【００４６】
第２カバー部５１３は、環状であって、円筒部５１１の第２端部から径方向内側へ延びている。第２カバー部５１３の内周面は、内輪５２と接触している。また、第２カバー部５１３の内周側端部は、軸方向において転動体５３から離れる方向へと延びている。これら第１及び第２カバー部５１２，５１３によって、ベアリング５の内部へ水が浸入することを抑えることができる。
【００４７】
内輪５２は、円筒部材６の外周側に配置される。内輪５２は、円筒状である。円筒部材６が内輪５２に嵌合している。より詳細には、内輪５２は、後述する円筒部材６の保持部６０内に収容されている。このため内輪５２は、円筒部材６に保持されている。
【００４８】
各転動体５３は、外輪５１と内輪５２との間に配置されている。各転動体５３は、周方向において互いに間隔をあけて配置されている。外輪５１及び内輪５２は、金属によって形成されており、例えば、ステンレス鋼によって形成されている。
【００４９】
円筒部材６は、ベアリング５の内周側に設けられる。図５は、円筒部材６の断面図である。なお、図５の上半分は、円筒部材６のみの断面図、図５の下半分は、ベアリング５が取り付けられた円筒部材６を示している。
【００５０】
図５に示すように、円筒部材６は、ベアリング５を保持する保持部６０を有する。保持部６０は、第１段差部６０１と、第２段差部６０２とを含む。詳細には、保持部６０は、周方向に延びる環状の凹部である。この保持部６０内にベアリング５の一部が収容される。すなわち、保持部６０内にベアリング５の内輪５２が収容される。これによって、ベアリング５は軸方向の移動が規制される。
【００５１】
円筒部材６は、第１円筒部６１、第２円筒部６２、及び第３円筒部６３を有する。なお、第１円筒部６１と第２円筒部６２とは１つの部材によって形成される。第３円筒部６３は、第１及び第２円筒部６１,６２とは、別の部材によって形成される。
【００５２】
第１及び第２円筒部６１，６２は、円筒状であって、軸方向に延びる。第１円筒部６１は、ベアリング５の内周面に接している。第２円筒部６２は、第１円筒部６１よりも外径が大きい。
【００５３】
第１円筒部６１と第２円筒部６２とによって第１段差部６０１が画定される。第１段差部６０１は、ベアリング５の第１端部と接する。詳細には、第１段差部６０１は、ベアリング５の内輪５２の第１端部５２１と接する。なお、第１円筒部６１の内径は、第２円筒部６２の内径と同じである。
【００５４】
第３円筒部６３は、第１円筒部６１の外周側に配置されている。また、第３円筒部６３は、軸方向において、第２円筒部６２と間隔をあけて配置される。第１円筒部６１は、第３円筒部６３に嵌合している。詳細には、第３円筒部６３の内径は、第１円筒部６１の外径とほぼ同じである。
【００５５】
第３円筒部６３は、第１円筒部６１よりも外径が大きい。この第１円筒部６１と第３円筒部６３とによって第２段差部６０２が画定される。第２段差部６０２は、ベアリング５の第２端部と接する。詳細には、第２段差部６０２は、ベアリング５の内輪５２の第２端部５２２と接する。なお、第３円筒部６３の外径は、第２円筒部６２の外径と略等しい。
【００５６】
図３に示すように、第１磁気シール７は、ラインローラ４の内周面に取り付けられている。詳細には、第１磁気シール７は、ラインローラ４の第１大径部４３に取り付けられている。第１磁気シール７は、円筒部材６との間で第１磁性流体７０を保持するための第１磁気回路を形成するように構成されている。詳細には、第１磁気シール７は、第２円筒部６２との間で第１磁気回路を形成するように構成されている。
【００５７】
また、第１磁気シール７は、円筒部材６と間隔をあけて配置される。すなわち、第１磁気シール７は、円筒部材６と接していない。そして、第１磁気シール７と円筒部材６との間において、第１磁性流体７０が保持される。すなわち、第１磁気シール７と円筒部材６との隙間を、第１磁性流体７０が埋めている。
【００５８】
第１磁気シール７は、第１磁石７１及び第１保持部材７２を有する。第１磁石７１は、周方向に延びる環状の永久磁石である。第１保持部材７２は、第１磁石７１を保持するように構成されている。
【００５９】
例えば、第１保持部材７２は、軸方向に間隔をあけて配置される一対の保持板７２である。この一対の保持板７２が第１磁石７１を挟み込むことによって、第１磁石７１が保持される。一対の保持板７２は、例えば、ラインローラ４の第１大径部４３に形成された溝に嵌合していてもよいし、ラインローラ４の第１大径部４３に接着されていてもよい。
【００６０】
第２磁気シール８は、ラインローラ４の内周面に取り付けられている。詳細には、第２磁気シール８は、ラインローラ４の第２大径部４４に取り付けられている。第２磁気シール８は、円筒部材６との間で第２磁性流体８０を保持するための第２磁気回路を形成するように構成されている。詳細には、第２磁気シール８は、第３円筒部６３との間で第２磁気回路を形成するように構成されている。
【００６１】
また、第２磁気シール８は、円筒部材６と間隔をあけて配置される。すなわち、第２磁気シール８は、円筒部材６と接していない。そして、第２磁気シール８と円筒部材６との間に第２磁性流体８０が保持される。すなわち、第２磁気シール８と円筒部材６との隙間を、第２磁性流体８０が埋めている。
【００６２】
第２磁気シール８は、第２磁石８１及び第２保持部材８２を有する。第２磁石８１は、周方向に延びる環状の永久磁石である。第２保持部材８２は、第２磁石８１を保持するように構成されている。
【００６３】
例えば、第２保持部材８２は、軸方向に間隔をあけて配置される一対の保持板８２である。この一対の保持板８２が第２磁石８１を挟み込むことによって、第２磁石８１が保持される。一対の保持板８２は、例えば、ラインローラ４の第２大径部４４に形成された溝に嵌合していてもよいし、ラインローラ４の第２大径部４４に接着されていてもよい。
【００６４】
以上のように構成されたラインローラユニット２５によれば、ラインローラユニット２５を一体的に取り外すことができるため、取り扱いが容易である。
【００６５】
［変形例］
以上、本発明の実施形態について説明したが、本発明はこれらに限定されるものではなく、本発明の趣旨を逸脱しない限りにおいて種々の変更が可能である。
【００６６】
例えば、ベアリング５は、複数のベアリングから構成されていてもよい。詳細には、図６に示すように、ベアリング５は、第１ベアリング５ａと、第２ベアリング５ｂとを有していてもよい。第１ベアリング５ａと第２ベアリング５ｂとは、軸方向において、互いに間隔をあけて配置されてもよいし、互いに接していてもよい。
【００６７】
第１ベアリング５ａと第２ベアリング５ｂとが互いに間隔をあけて配置されている場合、円筒部材６は、第４円筒部６４をさらに有することが好ましい。第４円筒部６４は、第１ベアリング５ａと第２ベアリング５ｂとの間に配置される。第４円筒部６４は、第１及び第２円筒部６１，６２と別部材である。第４円筒部６４は、第１円筒部６１の外周側に配置される。
【００６８】
また、図７に示すように、ラインローラユニット２５は、第１及び第２遮蔽部材１１，１２をさらに備えていてもよい。第１及び第２遮蔽部材１１、１２は、非磁性体である。例えば、第1及び第２遮蔽部材１１、１２は、真鍮などの非磁性の金属材料、又は樹脂などの非磁性の非金属材料などによって構成されている。
【００６９】
第１遮蔽部材１１は、略円筒状であって、ラインローラ４に嵌合している。なお、この変形例において、第１磁気シール７は、ラインローラ４に直接取り付けられるのではなく、第１遮蔽部材１１に取り付けられている。すなわち、第１磁気シール７は、第１遮蔽部材１１を介してラインローラ４に取り付けられている。
【００７０】
第１遮蔽部材１１は、径方向において、第１磁石７１とラインローラ４との間に配置されている。また、第1遮蔽部材１１は、軸方向において、第1磁石７１とラインローラ４との間に配置されている。具体的には、第1遮蔽部材１１は、円筒部１１１と、円板部１１２とを有している。円筒部１１１は、径方向において、第１磁石７１とラインローラ４との間に配置されている。また、円板部１１２は、軸方向において、第１磁石７１とラインローラ４との間に配置されている。円板部１１２は、円筒部１１１の端部から径方向内側に延びている。円板部１１２は、中央に開口部を有している。円筒部１１１と円板部１１２とは、一体的に構成されている。
【００７１】
第２遮蔽部材１２は、略円筒状であって、ラインローラ４に嵌合している。この変形例において、第２磁気シール８は、ラインローラ４に直接取り付けられるのではなく、第２遮蔽部材１２に取り付けられている。すなわち、第２磁気シール８は、第２遮蔽部材１２を介してラインローラ４に取り付けられている。
【００７２】
第２遮蔽部材１２は、径方向において、第２磁石８１とラインローラ４との間に配置されている。また、第２遮蔽部材１２は、軸方向において、第２磁石８１とラインローラ４との間に配置されている。具体的には、第２遮蔽部材１２は、円筒部１２１と、円板部１２２とを有している。円筒部１２１は、径方向において、第２磁石８１とラインローラ４との間に配置されている。また、円板部１２２は、軸方向において、第２磁石８１とラインローラ４との間に配置されている。なお、第２遮蔽部材１２の材質及びその他の構成は第１遮蔽部材１１と実質的に同じであるため、詳細な説明を省略する。
【００７３】
また、上記実施形態では、ラインローラ４は、ステンレス鋼によって形成されているが、ラインローラ４の材質は特に限定されない。例えば、ラインローラ４を非磁性体で構成することができる。これによって、ラインローラ４が、上記変形例の第１及び第２遮蔽部材１１，１２を兼ねることができる。なお、ラインローラ４の全体を非磁性体で構成しなくてもよい。例えば、ラインローラ４のうち、少なくとも、第１及び第２磁気シール７，８が取り付けられる部分を非磁性体で構成すればよい。具体的には、ラインローラ４の少なくとも第１及び第２大径部４３，４４を非磁性体で構成すればよい。
【符号の説明】
【００７４】
２    釣糸案内機構
２１    ベール
２１ａ    第１端部
２２    第１ベール支持部材
２４    軸部材
２５    ラインローラユニット
４    ラインローラ
４１    案内部
５    ベアリング
５１    外輪
５２    内輪
５３    転動体
５ａ    第１ベアリング
５ｂ    第２ベアリング
６    円筒部材
６０    保持部
６０１    第１段差部
６０２    第２段差部
６１    第１円筒部
６２    第２円筒部
６３    第３円筒部
６４    第４円筒部
７    第１磁気シール
７０    第１磁性流体
７１    第１磁石
７２    第１保持部材
８    第２磁気シール
８０    第２磁性流体
８１    第２磁石
８２    第２保持部材
【図１】
0006560930.tif 000002
【図２】
0006560930.tif 000003
【図３】
0006560930.tif 000004
【図４】
0006560930.tif 000005
【図５】
0006560930.tif 000006
【図６】
0006560930.tif 000007
【図７】
0006560930.tif 000008